(57)【要約】【課題】消費電流を低く押さえる、電子式のガス遮断装置の実用化を可能とすることを目的とする。【解決手段】外部ガス開閉手段６よりガス遮断装置１に遮断弁３の遮断命令を実施された場合、ガス遮断時流量検出停止手段７により流量検出手段４の駆動を停止することとした。【選択図】　図１
2004069523.tif 000002
【特許請求の範囲】
【請求項１】
ガス流量を検出する流量検出手段と、電源を供給する電池電源手段と、ガスの供給や遮断を行う遮断手段と、ガスの遮断を外部より実施する外部ガス開閉手段と、前記外部ガス開閉手段によりガスを遮断した場合ガス流量を検出する流量検出手段の駆動を停止するガス遮断時流量検出停止手段を設けたガス遮断装置。
【請求項２】
ガスの遮断を外部より実施する外部開閉手段を家屋内に設置した宅内開閉スイッチ手段とした請求項１記載のガス遮断装置。
【請求項３】
ガスの遮断を外部より実施する外部開閉手段を通信手段により外部のネットワークセンター等とした請求項１記載のガス遮断装置。
【請求項４】
ガス流量を検出する流量検出手段を超音波式とした請求項１記載のガス遮断装置。
【請求項５】
ガス流量を検出する流量検出手段をフローセンサー式とした請求項１記載のガス遮断装置。
【請求項６】
ガス流量を検出する流量検出手段をフルイディック式とした請求項１記載のガス遮断装置。
【請求項７】
ガス流量を検出する流量検出手段と、電源を供給する電池電源手段と、ガスの供給や遮断を行う遮断手段と、ガスの遮断を外部より実施する外部ガス開閉手段と、前記外部ガス開閉スイッチ手段によりガスを遮断した場合ガス流量を検出する流量検出手段の駆動を停止する流量検出停止手段とガスが遮断された場合にガス遮断状態を表示する表示手段を設けたガス遮断装置。
【請求項８】
表示手段の表示内容を通常の遮断状態と外部ガス開閉手段による遮断状態を別々に分けて表示する請求項７記載のガス遮断装置。
【発明の詳細な説明】
【０００１】
【発明の属する技術分野】
本発明は、都市ガスやＬＰガスの流量を計測し、その使用状態によってはガスを遮断するガス遮断装置に関するものである。
【０００２】
【従来の技術】
従来この種のガス遮断装置は、図４に示すブロック図のような構成となっていた。
【０００３】
図４のガス遮断装置１において、２は電池電源で、ガス遮断装置全体に電源を供給する。
【０００４】
３は遮断弁で、流路へのガスの供給を停止したり、供給したりする。４は流量検出手段でガス通路を通過するガスの流量を計測する。５はガス開閉制御部であり、４の流量検出部で得られたガス流量の大小や、流量の継続時間等によって異常なガスの使用状態と判断された場合を判定し、遮断弁３を駆動しガスの供給を遮断する。６は外部ガス開閉手段であり、ガス遮断装置のガスを外部より開閉する。
【０００５】
次に従来例の構成の動作を説明する。流量検出手段４で計測されたガスの流量の大小や、その継続時間をガス開閉制御部５によって判定し、ガス開閉制御部５に予め与えられた値を超えてガスが使用されたと判定される場合に（異常なガスの使用状態と判定された場合）遮断弁３を駆動しガスの供給を停止する。また、宅内等に設置された、あるいは通信手段によるネットワークセンター等の外部ガス開閉手段６よりガス遮断装置１に遮断弁３の開閉命令を実施できることとされて利便性を向上させている。
【０００６】
【発明が解決しようとする課題】
しかしながら、上記従来のガス遮断装置では、遮断弁を遮断しガスが流れない状態であっても、常にガス流量を計測し続けるため、超音波式やフローセンサー式等の電池電源を使用した電子式ガス遮断装置では、消費電流が大きくなり、電池を多量に搭載する必要性があるため市場導入を大きく阻害する要因となり、電子式ガス遮断装置で得られる高精度、瞬時計測による高度保安の実現というメリットがありながら実用化が困難であった。
【０００７】
本発明は、上記課題を解決するもので、電子式ガス遮断装置の消費電流を著しく低減させることを目的とする。
【０００８】
【課題を解決するための手段】
本発明のガス遮断装置では、ガス流量を検出する流量検出手段と、電源を供給する電池電源手段と、ガスの供給や遮断を行う遮断手段と、ガスの遮断を外部より実施する外部ガス開閉手段と、前記外部ガス開閉手段によりガスを遮断した場合ガス流量を検出する流量検出手段の駆動を停止するガス遮断時流量検出停止手段を設けた構成としている。
【０００９】
本発明によれば、外部ガス開閉手段によりガスの供給が遮断された場合、流量検出手段の駆動を停止するため、消費電流を大幅に削減できることが可能となる。
【００１０】
【発明の実施の形態】
上記目的を達成するために本発明のガス遮断装置では、以下の構成とした。
【００１１】
すなわち、ガス流量を検出する流量検出手段と、電源を供給する電池電源手段と、ガスの供給や遮断を行う遮断手段と、ガスの遮断を外部より実施する外部ガス開閉手段と、前記外部ガス開閉手段によりガスを遮断した場合ガス流量を検出する流量検出手段の駆動を停止するガス遮断時流量検出停止手段を設けたものである。
【００１２】
また、ガスの遮断を外部より実施する外部開閉手段を家屋内に設置した宅内開閉スイッチ手段としたものである。
【００１３】
また、ガスの遮断を外部より実施する外部開閉手段を通信手段により外部のネットワークセンター等としたものである。
【００１４】
また、ガス流量を検出する流量検出手段を超音波式としたものである。
【００１５】
また、ガス流量を検出する流量検出手段をフローセンサー式としたものである。
【００１６】
また、ガス流量を検出する流量検出手段をフルイディック式としたものである。
【００１７】
また、外部ガス開閉スイッチ手段によりガスを遮断した場合ガス流量を検出する流量検出手段の駆動を停止する流量検出停止手段とガスが遮断された場合にガス遮断状態を表示する表示手段を備えたものである。
【００１８】
また、表示手段の表示内容を通常の遮断状態と外部ガス開閉手段による遮断状態を別々に分けて表示する表示手段を備えたものである。
【００１９】
本発明によれば、外部ガス開閉手段によりガスの供給が遮断された場合、流量検出手段の駆動を停止するため、消費電流を大幅に削減できることが可能となる。
【００２０】
更にこれにより、超音波式やフローセンサー式等の電子式のガス遮断装置の実用化を実現するものである。
【００２１】
【実施例】
以下、本発明の実施例について図面を用いて説明する。なお、図１〜図４において、同一機能を有する構成要素に関しては同一番号を付して説明する。
【００２２】
（実施例１）
図１のブロック図において、２は電池電源で、ガス遮断装置全体に電源を供給する。３は遮断弁で、流路へのガスの供給を停止したり、供給したりする。
【００２３】
４は流量検出手段でガス通路を通過するガスの流量を計測する。４の流量計測部は、例えば超音波式または、フローセンサー式、またはフルイディック式が一般的に電子式メーターとして使用されている。５はガス開閉制御部であり、４の流量検出部で得られたガス流量の大小や、流量の継続時間等によって異常なガスの使用状態と判断された場合を判定する。６は外部ガス開閉手段であり、ガス遮断装置１のガスを外部より開閉する。７はガス遮断時流量検出停止手段であり、外部ガス開閉手段６によりガスを遮断した場合ガス流量を検出する流量検出手段４の駆動を停止する。
【００２４】
次に上記の構成の動作を説明する。流量検出手段４で計測されたガスの流量の大小やその継続時間をガス開閉制御部５によって判定し、ガス開閉制御部５に予め与えられた値を超えてガスが使用されたと判定される場合に（異常なガスの使用状態と判定された場合）遮断弁３を駆動しガスの供給を停止する。
【００２５】
宅内等に設置された、あるいは通信手段によるネットワークセンター等の外部ガス開閉手段６よりガス遮断装置１に遮断弁３の開閉命令を実施された場合は、ユーザーやガス管理者（ガス事業者）がガスを使用する意思がなく、かつ遮断弁３を遮断しているため、流量検出手段で計測されるガスの流量値は、当然ゼロであり、この事象であればガスの流量値を計測する必要性がない。したがって、この場合、流量検出手段４の駆動を停止し、消費電流を低減することができる。
【００２６】
（実施例２）
図２は、本発明の第二の実施例であり、７は表示部であり、上記実施例１による宅内等に設置された、あるいは通信手段によるネットワークセンター等の外部ガス開閉手段６よりガス遮断装置１に遮断弁３の開閉命令を実施された場合にガスが遮断状態であることを表示することとした。
【００２７】
これにより、ガス遮断装置１においても、ガスが遮断状態にあることを確認できるため、利便性を向上させることができる。
【００２８】
（実施例３）
図３は、本発明の第三の実施例の表示部を示す図であり、上記実施例２の表示部で、流量検出手段４で計測されたガスの流量の大小やその継続時間をガス開閉制御部５によって判定し、ガス開閉制御部５に予め与えられた値を超えてガスが使用されたと判定される場合に（異常なガスの使用状態と判定された場合）遮断弁３を駆動しガスの供給を停止した場合と、宅内等に設置された、あるいは通信手段によるネットワークセンター等の外部ガス開閉手段６よりガス遮断装置１に遮断弁３の開閉命令を実施されガスが遮断状態である場合とを、分けて表示部８に表示することにより、ガス遮断装置１において、ガスの使用状態が異常でガスが遮断されたような、安全や保安にまつわる重大項目と、ユーザーやガス管理者（ガス事業者）がガスを使用する意思が無くガスが遮断状態であるような場合を認識することができるため、工事やメンテナンスの作業者の手間を著しく向上させることができると共に、安全上も同時に向上させることができる。
【００２９】
【発明の効果】
以上のように本発明によれば次の効果が得られる。
【００３０】
（１）消費電流を低く押さえることができるため、電子式のガス遮断装置の実用化が可能となった。
【００３１】
（２）さらに、ガス遮断装置においてガスの遮断状態が確認できるため利便性、安全性を著しく向上させることができる。
【図面の簡単な説明】
【図１】本発明の第１の実施例のガス遮断装置のブロック図
【図２】本発明の第２の実施例のガス遮断装置のブロック図
【図３】本発明の第３の実施例の表示部図
【図４】従来のガス遮断装置のブロック図
【符号の説明】
１　ガス遮断装置
２　電池電源
３　遮断弁
４　流量検出手段
５　ガス開閉制御部
６　外部ガス開閉手段
７　ガス遮断時流量検出停止手段
８　表示手段
９　表示部
【図１】
2004069523.tif 000003
【図２】
2004069523.tif 000004
【図３】
2004069523.tif 000005
【図４】
2004069523.tif 000006